(57)【要約】  本発明の加熱炉装置は、巻き取りられたコイルからブランク鋼板が進入可能な進入口が上部に配置され、下部にブランク鋼板が排出される排出口を有し、内部にブランク鋼板の移送が可能な空間部を備えるように円筒形構造を有する加熱炉本体と、加熱炉本体の内周面に螺旋形構造で配置され、ブランク鋼板を上側進入口から下側排出口側に順次移送させるコンベヤーと、コンベヤーの一側に備えられ、ブランク鋼板を選択的にクランピングするクランピング手段とから構成される。これによれば、本発明は、直線型加熱炉方式より設備が占める長さおよび空間を減らして工場の使用可能面積を増大させるだけでなく、移送中であるブランク鋼板の加熱時に全体部位が均一に加熱されて組織変化が同一になされるので製品品質が向上する有用な効果を有する。また、移送中であるブランク鋼板の加熱時に加熱面積が増大して加熱時間を短縮することができるので生産性が向上する利点を有する。【選択図】図２
2011523680.tif 000002
【特許請求の範囲】
【請求項１】
内部に複数の火具が備えられ、上部と下部に入口と出口を有する加熱炉本体と、
前記加熱炉本体の内周面に螺旋形構造で構成され、軌道回転によって回転可能に配置されるコンベヤーと、
前記コンベヤーの一面に付着され、ブランク鋼板をクランピングおよび移送するクランピング手段と
を備えることを特徴とするプレス硬化工程用加熱炉装置。
【請求項２】
前記クランピング手段は、前記コンベヤーの一面に固定される固定ブロックと、
前記固定ブロックと対応する形態で離隔するように配置され、移動手段によって前、後進動作して前記ブランク鋼板をクランピングする移動ブロックと、
前記固定ブロックと移動ブロックの内側に一部突出するように配置され、モータの駆動力によって回転可能な移送ローラとを備えることを特徴とする、請求項１に記載のプレス硬化工程用加熱炉装置。
【請求項３】
前記移動手段は、前記コンベヤーの一面に上側に突出するように配置され、前記移動ブロックをスライド移動可能に載置する固定レールと、
前記固定レールに載置された移動ブロックの一側に連結され、外部信号が印加されることによってロッドが前進動作して前記移動ブロックを移動させるアクチュエータとを備えることを特徴とする、請求項２に記載のプレス硬化工程用加熱炉装置。
【請求項４】
前記アクチュエータは空圧シリンダーを採用することを特徴とする、請求項３に記載のプレス硬化工程用加熱炉装置。
【請求項５】
前記アクチュエータは、外部電気的信号の印加を受け、前記ロッドを前、後進させるモータを採用することを特徴とする、請求項３に記載のプレス硬化工程用加熱炉装置。
【請求項６】
前記コンベヤーの一側に配置され、前記ブランク鋼板の前記クランピング手段側への進入をガイドするためのガイド部材をさらに備えることを特徴とする、請求項１に記載のプレス硬化工程用加熱炉装置。
【請求項７】
前記コンベヤーに隣接するように配置され、前記火具から発生する熱を貯蔵する蓄熱材をさらに備えることを特徴とする、請求項１〜６のうちのいずれか１項に記載のプレス硬化工程用加熱炉装置。
【請求項８】
前記加熱炉本体の出口側に配置され、前記加熱炉本体から排出されたブランク鋼板を外気と遮断した状態でプレス側に供給する排出手段をさらに備えることを特徴とする、請求項１〜６のうちのいずれか一項に記載のプレス硬化工程用加熱炉装置。
【請求項９】
前記排出手段は、一側が前記加熱炉本体の出口側に連結され、他側に開閉可能なドアが配置されるフレームと、
前記フレームの内部に配置され、前記コンベヤー側から伝達されるブランク鋼板を前記プレス側に移送させる排出コンベヤーとを備えることを特徴とする、請求項８に記載のプレス硬化工程用加熱炉装置。
【請求項１０】
前記排出コンベヤーは、前記加熱炉本体の出口側と近接した位置に配置され、前記ブランク鋼板を横方向に移送する移送コンベヤー部と、
前記移送コンベヤー部と連結されるように配置され、前記ブランク鋼板を前記プレス側進入高さに移送する傾斜コンベヤー部とを備えることを特徴とする、請求項９に記載のプレス硬化工程用加熱炉装置。
【請求項１１】
入口と出口を有する加熱炉本体と、
前記加熱炉本体の内周面に螺旋形構造で構成され、軌道回転によって回転可能に配置されるコンベヤーと、
前記コンベヤーの一面に付着され、ブランク鋼板をクランピングおよび移送するクランピング手段と、
前記加熱炉本体の入口側に近接するように配置され、前記ブランク鋼板を前記クランピング手段側に移送するように複数の回転可能な進入ローラを有する進入手段と、
前記加熱炉本体の出口側に近接するように配置され、前記加熱炉本体から排出されたブランク鋼板を外気と遮断した状態でプレス側に供給する排出手段とを備えることを特徴とするプレス硬化工程用加熱炉装置。
【請求項１２】
入口と出口を有する加熱炉本体と、
前記加熱炉本体の内周面に螺旋形構造で構成され、軌道回転によって回転可能に配置され、内側と外側の複数列で配置されるコンベヤーと、
前記コンベヤーの一面に付着され、ブランク鋼板をクランピングおよび移送するクランピング手段と
を備えることを特徴とするプレス硬化工程用加熱炉装置。
【請求項１３】
前記コンベヤーは、内側コンベヤーと外側コンベヤーが互いに相反した方向に軌道回転することを特徴とする、請求項１２に記載のプレス硬化工程用加熱炉装置。
【請求項１４】
前記内側コンベヤーと外側コンベヤーのクランピング手段が同一軸線上に位置するか否かを検知し、これを電気的信号として出力する位置検知センサと、
前記位置検知センサから出力された信号の印加を受け、前記内側コンベヤーと外側コンベヤーのクランピング手段が同一線上に位置するか否かを判断した後、前記クランピング手段側に前記ブランク鋼板を移送するための制御信号を出力する制御部とをさらに備えることを特徴とする、請求項１３に記載のプレス硬化工程用加熱炉装置。
【請求項１５】
前記加熱炉本体の出口側に配置され、前記加熱炉本体から排出されたブランク鋼板を外気と遮断した状態でプレス側に供給する排出手段をさらに備えることを特徴とする、請求項１２〜１４のうちのいずれか１項に記載のプレス硬化工程用加熱炉装置。
【請求項１６】
前記排出手段は、一側が前記加熱炉本体の出口側に連結され、他側上部に開閉可能なドアが配置されるフレームと、
前記フレームの内部に配置され、前記コンベヤー側から伝達されるブランク鋼板をクランピング手段を介して立てられた状態で前記ドア側に移送させる排出コンベヤーと、
前記排出コンベヤーから移送されたブランク鋼板を把持してプレス側に供給するロボットとを備えることを特徴とする、請求項１５に記載のプレス硬化工程用加熱炉装置。
【発明の詳細な説明】
【技術分野】
【０００１】
本発明はプレス硬化工程用加熱炉装置に関し、より詳しくは、プレス硬化工程において、プレス硬化用鋼板を９００℃以上に加熱する加熱炉の構造を螺旋形構造で構成し、既存の直線型加熱炉の長さを減らすと共に熱損失および燃料消耗量を減少できるようにしたプレス硬化工程用加熱炉装置に関する。
【背景技術】
【０００２】
一般的に、プレス硬化部品の製造工法は、Ｂ、Ｍｏ、Ｃｒなどを添加して硬化能を向上させた鋼材をＡｃ３変態点以上である９００℃程度の高温で加熱して完全オーステナイト化した後、この鋼板をプレス金型で一度に製品形状に熱間成形しながら、急速冷却を通じてマルテンサイト化して高強度製品を製造する工法である。
【０００３】
周知のとおり、鋼板は高温で加熱すれば延性が良くなるので成形が非常に容易となり、これにより、プレス硬化工程を通じて製造される鋼板は、一般加工用鋼板の加工性より多少優れるだけでなく高強度鋼より遥かに優れる。
また、プレス硬化工程を通じて製造された鋼板は、その強度（１，４００ＭＰａ以上）が非常に高いため、降伏強度を密度で分けた比強度面に非常に優れるので自動車の軽量化に大きく寄与することができ、また、加工後の形状変形（Ｓｐｒｉｎｇｂａｃｋ）がほぼないので成形し難い超高強度要求部品に適用されている。
【０００４】
前記プレス硬化工程において、鋼板を完全オーステナイトに変態させるために約９００℃以上で数分以上加熱する条件が必要であり、工程の効率のために自動化がなされなければならない。
従来のプレス硬化工程のための加熱炉は、数分以上加熱しながら工程の自動化のために、図１に示すように、巻き取られた鋼板コイルＣから硬化する前のブランクＢが直線型加熱炉を介して加熱された後、ロボットＲによってプレスＰ側に移送されてプレス成形される工程で構成されている。
【０００５】
しかし、従来の直線型加熱炉は、完全なオーステナイト変態をなすために、一定温度と一定時間を維持するために数十メートルの直線型設備で構成されているため、所望の温度で加熱するための効率が低く、設備面積の確保のために大面積の工場敷地が必要となる短所がある。
【０００６】
また、既存の直線型加熱炉は、ブランク鋼板を移送する過程でローラテーブルなどのような移送設備に載置して移送するため、移送設備と接触する部位と上側部位別間の温度偏差が発生するので鋼板製品の品質が低下する問題点がある。
【発明の概要】
【発明が解決しようとする課題】
【０００７】
本発明は、前記諸問題点を考慮し、これを解決するために提案されたものであり、その目的は、プレス硬化用鋼板を加熱する加熱炉を螺旋形の移送構造に改善して加熱炉設備に必要な面積および長さを大幅に減らしつつ、工場の使用可能面積を広くしたプレス硬化工程用加熱炉装置を提供することにある。
【０００８】
本発明の他の目的は、加熱炉を通過する鋼板の部位別温度偏差が発生されず、加熱が均一に行われるようにしたプレス硬化工程用加熱炉装置を提供することにある。
【課題を解決するための手段】
【０００９】
前記目的を達成するために、本発明は、内部に複数の火具が備えられ、内部に円筒形空間を有する加熱炉本体と前記加熱炉本体の内周面に螺旋形構造で構成され、軌道回転によって回転可能に配置されるコンベヤーと、前記コンベヤーの一面に付着され、ブランク鋼板を選択的にクランピングおよび移送するクランピング手段とを備えることを特徴とする。
【００１０】
前記クランピング手段は、前記コンベヤーの一面に固定される固定ブロックと、前記固定ブロックと対応する形態で離隔するように配置され、移動手段によって前、後進動作して前記ブランク鋼板をクランピングする移動ブロックとを備える。
【００１１】
前記移動手段は、前記コンベヤーの一面に上側に突出するように配置され、前記移動ブロックをスライド移動可能に載置する固定レールと、前記固定レールに載置された移動ブロックの一側に連結され、外部信号が印加されることによってロッドが前進動作して前記移動ブロックを移動させるアクチュエータとを備える。
【００１２】
前記アクチュエータは空圧シリンダーを採用するか、外部電気的信号の印加を受けて前記ロッドを前、後進させるモータを採用することができる。
【００１３】
前記コンベヤーの一側に配置され、前記ブランク鋼板の前記クランピング手段側への進入をガイドするためのガイド部材をさらに備える。
【００１４】
前記コンベヤーに隣接するように配置され、前記火具から発生する熱を貯蔵する蓄熱材をさらに備える。
【００１５】
前記加熱炉本体の出口側に配置され、前記加熱炉本体から排出されたブランク鋼板を外気と遮断した状態でプレス側に供給する排出手段をさらに備える。
【００１６】
前記排出手段は、一側が前記加熱炉本体の出口側に連結され、他側に開閉可能なドアが配置されるフレームと、前記フレームの内部に配置され、前記コンベヤー側から伝達されるブランク鋼板を前記プレス側に移送させる排出コンベヤーとを備える。
【００１７】
前記排出コンベヤーは、前記加熱炉本体の出口側と近接した位置に配置され、前記ブランク鋼板を横方向に移送する移送コンベヤー部と、前記移送コンベヤー部と連結されるように配置され、前記ブランク鋼板を前記プレス側進入高さに移送する傾斜コンベヤー部とを備える。
【００１８】
本発明のまた他の特徴的な要素としては、内部に複数の火具が備えられ、上部と下部に入口と出口を有する加熱炉本体と、前記加熱炉本体の内周面に螺旋形構造で構成され、軌道回転によって回転可能に配置されるコンベヤーと、前記コンベヤーの一面に付着され、ブランク鋼板を選択的にクランピングおよび移送するクランピング手段と、前記加熱炉本体の入口側に近接するように配置され、前記ブランク鋼板を前記クランピング手段側に移送するように複数の回転可能な進入ローラを有する進入手段と、前記加熱炉本体の出口側に近接するように配置され、前記加熱炉本体から排出されたブランク鋼板を外気と遮断した状態でプレス側に供給する排出手段とを備える。
【００１９】
本発明のまた他の特徴的な要素としては、入口と出口を有する加熱炉本体と、前記加熱炉本体の内周面に螺旋形構造で構成され、軌道回転によって回転可能に配置され、内側と外側の複数列で配置されるコンベヤーと、前記コンベヤーの一面に付着され、ブランク鋼板をクランピングおよび移送するクランピング手段とを備える。
【００２０】
前記コンベヤーは、内側コンベヤーと外側コンベヤーが互いに相反した方向に軌道回転する。
【００２１】
前記内側コンベヤーと外側コンベヤーのクランピング手段が同一軸線上に位置するか否かを検知し、これを電気的信号として出力する位置検知センサと、前記位置検知センサから出力された信号の印加を受け、前記内側コンベヤーと外側コンベヤーのクランピング手段が同一線上に位置するか否かを判断した後、前記クランピング手段側に前記ブランク鋼板を移送するための制御信号を出力する制御部とをさらに備える。
【００２２】
前記加熱炉本体の出口側に配置され、前記加熱炉本体から排出されたブランク鋼板を外気と遮断した状態でプレス側に供給する排出手段をさらに備え、前記排出手段は、一側が前記加熱炉本体の出口側に連結され、他側上部に開閉可能なドアが配置されるフレームと、前記フレームの内部に配置され、前記コンベヤー側から伝達されるブランク鋼板をクランピング手段を介して立てられた状態で前記ドア側に移送させる排出コンベヤーと、前記排出コンベヤーから移送されたブランク鋼板を把持してプレス側に供給するロボットとを備える。
【発明の効果】
【００２３】
本発明は、プレス硬化工程前のブランク鋼板を加熱する加熱炉の構造を螺旋形の形態で移送しながら落下するようにその構造を改善したものであり、これによれば、本発明は、直線型加熱炉方式より設備が占める長さおよび空間を減らして工場の使用可能面積を増大させるだけでなく、移送中であるブランク鋼板の加熱時に全体部位が均一に加熱されて組織変化が同一になされるので製品品質が向上する有用な効果を有する。
【００２４】
また、移送中であるブランク鋼板の加熱時に加熱面積が増大して加熱時間を短縮することができるので生産性が向上する利点を有する。
【図面の簡単な説明】
【００２５】
【図１】既存のプレス硬化工程を概略的に示す構成図である。
【図２】本発明に係るプレス硬化工程用加熱炉装置の第１実施形態を概略的に示す構成図である。
【図３】本発明のコンベヤーが加熱炉本体の内周面に対して異なる角度で配置されるコンベヤーの他例を示す図である。
【図４】ブランク鋼板が進入装置を介して本発明のコンベヤーにクランピングされる状態を示す図である。
【図５】側面から見た図４の使用状態図である。
【図６】本発明の移動ブロックとコンベヤーの結合構造を示す断面図である。
【図７】ブランク鋼板の加熱炉本体内の進入をガイドするガイド部材が設けられた状態を示す図である。
【図８】本発明のコンベヤーに蓄熱材が充填された状態を示す図である。
【図９】本発明に係るプレス硬化工程用加熱炉装置の第２実施形態を概略的に示す構成図である。
【図１０】本発明の排出手段を示す正面図である。
【図１１】本発明の第３実施形態を示す構成図である。
【図１２】本発明の第３実施形態のブランク鋼板の移動手段を概略的に示す構成図である。
【図１３】本発明の第４実施形態を示す構成図である。
【図１４】本発明の第４実施形態の排出手段の使用状態図である。
【発明を実施するための形態】
【００２６】
以下、本発明の好ましい実施形態について添付図面を参照してより詳細に説明する。
【００２７】
本発明に係るプレス硬化工程用加熱炉装置の一実施形態について図２〜図６を参照して説明する。
【００２８】
本発明の一実施形態は、巻き取りられたコイルＣからブランク鋼板Ｓが進入可能な進入口が上部に配置され、下部にブランク鋼板Ｓが排出される排出口を有し、内部にブランク鋼板Ｓの移送が可能な空間部を備えるように円筒形構造を有する加熱炉本体１００と、加熱炉本体１００の内周面に螺旋形構造で配置され、ブランク鋼板Ｓを上側進入口から下側排出口側に順次移送させるコンベヤー１５０と、コンベヤー１５０の一側に備えられ、ブランク鋼板Ｓを選択的にクランピングするクランピング手段２００とから構成される。
【００２９】
より詳細に説明すれば、加熱炉本体１００は円筒形内周面を有し、内部にブランク鋼板Ｓを加熱するように複数の火具１３０が備えられた構造を有する。
【００３０】
コンベヤー１５０は、加熱炉本体１００の内周面に両側端部に配置され、モータ（図示せず）の回転力によって回転可能に支持される駆動および被動スプロケット１３２，１３４を備えており、駆動スプロケット２１２は、図面で見る時、加熱炉本体１００の一側上部に配置され、被動スプロケット２１４は、加熱炉本体１００の他側下部に配置され、軌道回転する構造を有する。
【００３１】
火具１３０は加熱炉本体１００の内壁に複数配置され、加熱炉バーナー（図示せず）の熱を加熱炉本体１００の内部に誘導してブランク鋼板Ｓを加熱するためのものである。
【００３２】
また、好ましくは、図８に示すように、火具１３０の他にもコンベヤー１５０を加熱するように内部に蓄熱材４００が充填され、補助加熱手段としての機能を果たす。
【００３３】
このとき、コンベヤー１５０内部に蓄熱材４００が充填されるように密閉型構造を有することが好ましい。
【００３４】
蓄熱材４００は、火具１３０から熱の供給を受けて蓄熱した後にコンベヤー１５０側に熱を発散し、コンベヤー１５０に支持されたブランク鋼板Ｓを加熱する補助加熱手段の機能を有し、公知の素材を採択するが、その素材は制限されず、流体を採択したり固体を採択したりすることもできる。
【００３５】
これにより、蓄熱材４００は、火具１３０から伝達される熱を蓄熱してコンベヤー１５０側に伝達し、クランピング手段２００に支持されたブランク鋼板Ｓの支持部位を均一に加熱させる機能を有する。
【００３６】
また、コンベヤー１５０は、加熱炉本体１００の内周面にブランク鋼板Ｓが上側から下側に移送される過程で螺旋形形態で構成される配置構造において、ブランク鋼板Ｓの進入および排出速度を考慮し、加熱時間を考慮して、螺旋形構造の角度（θ１またはθ２）を調整することが好ましい。
【００３７】
クランピング手段２００は、コンベヤー１５０の一面に固定される三角形態の固定ブロック２１０と、固定ブロック２１０と対応する形態で離隔するように配置され、移動手段によって前、後進動作してブランク鋼板Ｓをクランピングする移動ブロック２２０とを備える。
【００３８】
また、クランピング手段２００は、固定ブロック２１０と移動ブロック２２０の内側に一部位が突出するように各々配置され、モータの駆動力を介して回転可能な移送ローラ２３０を有する。
【００３９】
移動手段は、移動ブロック２２０が位置したコンベヤー１５０の上側にコンベヤー１５０の進行方向と同一な方向に配置され、移動ブロック２２０がスライド移動可能に載置される固定レール１５２と、固定レール１５２に載置された移動ブロックの一側に連結されるロッド２５５を有し、外部信号が印加されることによってロッド２５５を前、後進動作させるアクチュエータ２５０とから構成される。
【００４０】
このアクチュエータ２５０は、外部から供給されるエアー圧力を利用してロッド２５５を選択的に前、後進させる空圧シリンダーを採用するか、外部の電気的信号の印加を受けてロッド２５５を前、後進させるモータを採用することが好ましい。
【００４１】
この他に、ブランク鋼板Ｓを加熱炉本体１００の進入口側に立てて進入させるための進入手段５００が備えられ、この進入手段５００は、加熱炉本体１００の進入口に隣接した位置に配置される進入台５２０と、進入台５２０に左、右両側に離隔し、互いに逆方向に回転可能に配置され、ブランク鋼板Ｓとの接触方式でブランク鋼板Ｓを移送させる複数の進入ローラ５１０とから構成される。
【００４２】
より好ましくは、図７に示すように、コンベヤー１５０の一側に配置され、ブランク鋼板Ｓのクランピング手段２００側への進入をガイドするためのガイド部材３１０，３２０をさらに備える。
【００４３】
また、移動ブロック２２０の前、後進動作を選択する外部信号を制御する制御部（図示せず）が備えられ、この制御部は、例えば、ブランク鋼板Ｓの進入および排出位置を検知するセンサと、センサから信号の印加を受けて移動ブロック２２０の動作を制御する公知のＰ．Ｌ．Ｃを採用することができる。
【００４４】
このような構成を有する本発明の作用を説明すれば次のとおりである。
【００４５】
本発明に係るプレス硬化工程用加熱炉装置は、巻き取られたコイルＣからブランク鋼板Ｓが進入手段５００を通して加熱炉本体１００の上部に位置した入口を通過して加熱炉本体１００の内部に進入すれば、ブランク鋼板Ｓはコンベヤー１５０に立てられた状態で載置するように移送され、固定ブロック２１０と移動ブロック２２０を介してクランピングされた後にコンベヤー１５０の軌道回転に応じて加熱炉本体１００の下部に位置した排出口側に移送される。
【００４６】
このとき、ブランク鋼板Ｓは、進入口を通してコンベヤー１５０上に移送される時、固定ブロック２１０と移動ブロック２２０との間に介在するように立てられた状態でガイド部材３１０，３２０によって定位置に誘導された後、移動ブロック２２０がアクチュエータ２５０のロッド２５５によって固定ブロック２１０側に前進動作してブランク鋼板Ｓをクランピング固定させる。
【００４７】
次に、クランピング固定されたブランク鋼板Ｓはコンベヤー１５０の軌道回転に応じて出口側に移送され、出口側に移送された後に再び移動ブロック２２０が後進動作してブランク鋼板Ｓのクランピング状態が解除され、移送ローラ２３０の回転時に接触するブランク鋼板Ｓを押して出口側に移送させる。
【００４８】
このとき、ブランク鋼板Ｓが上側から下側に螺旋形態のコンベヤー１５０に沿って移送される過程において、加熱炉本体１００の内壁に配置された複数の火具１３０によって加熱炉バーナーの熱が加熱炉本体１００の内部を加熱すると共に、移送中のブランク鋼板Ｓを加熱する。
【００４９】
一方、コンベヤー１５０に蓄熱材４００などの補助加熱手段が採択された場合には、前述したように、蓄熱材４００が外部から伝達された熱を蓄熱した後に持続的にコンベヤー１５０側に熱を供給し、ブランク鋼板Ｓのクランピング部位を間接的に加熱する。
【００５０】
次に、最下段に位置した移送設備２００に移送されたブランク鋼板Ｓは、出口を通して加熱炉本体１００の外部に排出された後、ロボットを利用してプレス側に供給する方式は既存のものと同様である。
【００５１】
図９および図１０は本発明の他の実施形態を示す図であり、前述した実施形態の構成要素を有し、ロボットを利用してブランク鋼板をプレスＰ側に供給するのではなく、加熱炉本体１００の出口側に配置され、加熱炉本体１００から排出されたブランク鋼板Ｓを外気と遮断した状態でプレスＰ側に供給する排出手段６００を備える。
【００５２】
排出手段６００は、一側が加熱炉本体１００の出口側に連結され、他側に開閉可能なドア６１５が配置されるフレーム６１０と、フレーム６１０の内部に配置され、コンベヤー側に伝達されるブランク鋼板ＳをプレスＰ側に移送させる排出コンベヤー６２０とを備える。
【００５３】
ドア６１５は、平常時には下降動作して閉められた状態を維持し、ブランク鋼板ＳがプレスＰ側に排出される時に上昇動作してフレーム６１０の他側端部を開放させる動作を行う。
【００５４】
ドア６１５は、公知の（油圧または空圧の）シリンダーによって動作されるか、モータなどの駆動力を利用して開閉動作される。
フレーム６１０は、一側部位が加熱炉本体１００の出口側と連通する構造を有するように加熱炉本体１００の一側下部に一体に連結される。
【００５５】
排出コンベヤー６２０は、加熱炉本体１００内のコンベヤー１５０端部と近接するように互いに平行して配置される進入コンベヤー部６２２と、進入コンベヤー部６２２と連結され、ブランク鋼板Ｓを横方向に移送する移送コンベヤー部６２４と、移送コンベヤー部６２４と連結されるように配置され、ブランク鋼板ＳをプレスＰ側進入高さに移送する傾斜コンベヤー部６２６と、傾斜コンベヤー部６２６の端部に連結され、プレスＰ側進入高さと同一線上に配置される排出コンベヤー部６２８とから構成される。
【００５６】
すなわち、加熱炉本体１００の螺旋式コンベヤーを通過し、密閉された空間であるフレーム６１０の内部を排出コンベヤー６２０を介して移送させながら通過させた後、プレスＰ側に進入させることにより、再加熱されたブランク鋼板Ｓを外気と接触しないようにする。
【００５７】
このとき、コンベヤー１５０からクランピング手段を介して立てられた状態で移送されるブランク鋼板Ｓは、コンベヤー１５０の末端から排出コンベヤー６２０の進入コンベヤー部６２２に進入される過程において、移送ローラ２３０を介して進入し、その後、自重によって横たわってプレスＰ側に移送される。
図面には示されていないが、排出コンベヤー６２０は両側に配置され、自重によって横たわってプレス側に移送される途中、正確な進入位置をガイドするための公知のガイドが備えられる。
【００５８】
他の構成要素は前述したのと同一であるので重複する説明は省略する。
【００５９】
図１１および図１２は本発明の第３実施形態を示す図であり、その構成は、前述した実施形態に適用された構成要素は同一であるが、コンベヤー１５０が内側コンベヤー１５０Ａと外側コンベヤー１５０Ｂとして複数列で配置され、相反した方向に軌道回転する構成を有する。
【００６０】
より詳しく説明すれば、加熱炉本体１００は、ブランク鋼板Ｓが進入される入口が一側下部に配置され、出口が他側下部に配置された構造を有する。
【００６１】
ブランク鋼板Ｓが加熱炉本体１００の一側下部を通して外側コンベヤー１５０Ｂに進入した後、クランピング手段を介し、立てられた状態で加熱炉本体１００内の上部位置まで移送されながら加熱され、次に上部から移送ローラ２３０を介して内側コンベヤー１５０Ａのクランピング手段側に経路を変更するようになっている。
【００６２】
このとき、外側コンベヤー１５０Ｂから内側コンベヤー１５０Ａ側に経路を変更する場合には、内、外側コンベヤー１５０Ａ、１５０Ｂの動作が停止した状態でなされる。
【００６３】
内、外側コンベヤー１５０Ａ、１５０Ｂのクランピング手段は、前述した先の実施形態の構成要素である固定ブロック２１０と移動ブロック２２０を採択することができ、このため、動作過程が同一であるので重複する説明は省略する。
【００６４】
前記ブランク鋼板Ｓの経路変更のために内側コンベヤー１５０Ａと外側コンベヤー１５０Ｂのクランピング手段のうちの固定ブロック２１０が同一軸線上に位置する場合、移送ローラ２３０を回転させ、ブランク鋼板Ｓを外側コンベヤー１５０Ｂから内側コンベヤー１５０Ａ側に移送させる。
【００６５】
内側コンベヤー１５０Ａと外側コンベヤー１５０Ｂのクランピング手段が同一軸線上に位置するのを検知するための検知手段が求められる。
【００６６】
検知手段は、内側コンベヤー１５０Ａと外側コンベヤー１５０Ｂのクランピング手段が同一軸線上に位置するか否かを検知し、これを電気的信号として出力する位置検知センサ７１０と、位置検知センサ７１０から出力された信号の印加を受け、内側コンベヤー１５０Ａと外側コンベヤー１５０Ｂのクランピング手段が同一線上に位置するか否かを判断した後、クランピング手段側にブランク鋼板Ｓを移送するための制御信号を出力する制御部７００とをさらに備える。
【００６７】
図１３および図１４は本発明の第４実施形態を示す図であり、その構成は、本発明の排出手段が他の構造を有するものであって、排出手段が、前述した第２実施形態のフレームＰなどの一部構成は同一であるが、ブランク鋼板Ｓの水平移動が可能な排出コンベヤー６２０にクランピング手段が備えられ、フレーム６１０の他側上部に水平方向に開閉可能なドア６１５が配置された構造を有する。
【００６８】
また、フレーム６１０とプレスＰとの間にロボットＲが配置される。
【００６９】
ロボットＲは、ドア６１５の開放時、クランピング手段によって立てられたブランク鋼板Ｓを把持してプレスＰ側に供給する機能を有する。
【００７０】
ブランク鋼板Ｓは、移動手段によって加熱炉本体１００内の内側コンベヤー１５０Ａから排出コンベヤー６２０のクランピング手段に移動する。
【００７１】
移動手段は、前述した先の実施形態の内、外側コンベヤー間の移動のための構成要素である位置検知センサ７１０、制御部７００、およびクランピング手段の移送ローラ２３０などと同一の構成要素を有するので同一の図面符号で示す。
【図１】
2011523680.tif 000003
【図２】
2011523680.tif 000004
【図３】
2011523680.tif 000005
【図４】
2011523680.tif 000006
【図５】
2011523680.tif 000007
【図６】
2011523680.tif 000008
【図７】
2011523680.tif 000009
【図８】
2011523680.tif 000010
【図９】
2011523680.tif 000011
【図１０】
2011523680.tif 000012
【図１１】
2011523680.tif 000013
【図１２】
2011523680.tif 000014
【図１３】
2011523680.tif 000015
【図１４】
2011523680.tif 000016
【国際調査報告】
2011523680.tif 000017
2011523680.tif 000018
2011523680.tif 000019
2011523680.tif 000020